(57)【特許請求の範囲】
【請求項１】
一対のサイドキーと、
前記一対のサイドキーの長さ寸法とほぼ同寸法に形成されたフィルムシート部材とを備え、
前記フィルムシート部材の両端部には、両面に貼り着け面を有する両面テープ部材が設けられ、前記フィルムシート部材と前記一対のサイドキーとが、前記両面テープ部材による前記フィルムシート部材の両端部と前記一対のサイドキーの両端部同士の貼り着け固定により連結固定されることを特徴とする携帯端末装置。
【請求項２】
所定の操作を行なう回路基板上の操作スイッチを作動させるピン部材を有する一対のサイドキーと、
前記一対のサイドキーの長さ寸法とほぼ同寸法に形成されたフィルムシート部材とを備え、
前記フィルムシート部材の両端部には、両面に貼り着け面を有する両面テープ部材が設けられ、前記フィルムシート部材と前記一対のサイドキーとが、前記両面テープ部材による前記フィルムシート部材の両端部と前記一対のサイドキーの両端部同士の貼り着け固定により連結固定されることを特徴とする携帯端末装置。
【発明の詳細な説明】
【技術分野】
【０００１】
本発明は、音量調整などの所定の操作を行なう複数のサイドキーを備えた携帯端末装置に関し、特に、サイドキーをフィルムシート部材により一体型に連結することにより、取り付け作業の容易化および小型化を実現することができる携帯端末装置に関するものである。
【背景技術】
【０００２】
携帯電話機は、表示パネルを有する可動側筐体と操作パネルを有する固定側筐体とを連結部により折り畳み自在に連結されており、近年では、ワンセグ携帯などの普及によりラジオやテレビ放送の受信時などに音量を調整するボリュームキー（サイドキー）が固定側筐体の側面部に設けられている（例えば、特許文献１）。このような携帯電話機の固定側筐体に設けられたサイドキーは、携帯電話機の固定側筐体の側面部にラバー板材などを使用して連結された状態で取り付けられている。
【０００３】
[従来のサイドキーの構成]
以下、図７−１および図７−２を用いて、従来の携帯電話機に設けたサイドキーの取り付け構造について簡単に説明する。図７−１は、従来のサイドキーとラバーシート部材との合体前状態を示す側面図を、図７−２は、サイドキーとラバーシート部材との合体後状態の側面図をそれぞれ示している。
【０００４】
すなわち、図７−１に示すように、サイドキー４０ａ、４０ａは、略四角形状のサイドキー本体４１と、これらサイドキー本体４１の下側に位置する底板部材４３および他方（図７−１、２の下側）に向けて突出するピン部材４４とを備えている。一方、ラバーシート部材７０は、長尺状に成形されたシート状の板部材であり、本体部の両側にはサイドキー４０ａのピン部材４４を挿通させるための円通孔７１が形成されている。
【０００５】
そして、図７−２に示すように、これら２個のサイドキー４０ａ、４０ａは、ラバーシート部材７０の所定の領域に接着剤を塗布した状態で貼り着け固定することにより一体型のキースイッチとすることができる。
【０００６】
そして、このように連結固定されたサイドキー４０ａ、４０ａを作動させることにより、固定リアケース１２０の内部に設けた回路基板（図示せず）上に設けた操作スイッチのオンオフ作動を行なうことができる。具体的には、例えば、ボリュームの音量の大小をピン部材４４のＯＮ操作に応じて調整することができる。
【０００７】
【特許文献１】特開２００５−２５２３４３号公報
【発明の開示】
【発明が解決しようとする課題】
【０００８】
ところが、従来の携帯電話機におけるサイドキーの取り付け構造の場合、上述したように、独立したサイドキー４０ａ、４０ａ同士を連結するのに、ラバーシート部材７０を用いていたが、このラバーシート部材７０は、所定の寸法に成形する作業に手間が掛るうえ、このラバーシート部材７０の厚さ寸法は比較的肉厚なシート（厚さ寸法ｔ＝０．３ｍｍ程度）として製造する必要がある。また、成形後のラバーシート部材７０の寸法は、両端部の領域Ｌ１程度、サイドキー４０ａ、４０ａの外形寸法Ｌより大きくなってしまうため、携帯電話機の小型化および薄型化を阻害する要因となっている。
【０００９】
そこで、この発明は、上述した従来技術の課題を解決するためになされたものであり、携帯端末装置に対するサイドキーの取り付け作業性を向上できるうえ、携帯端末機の小型化を図ることができる携帯端末装置を提供することを目的とする。
【課題を解決するための手段】
【００１０】
開示の携帯端末装置に設けたサイドキーは、可動側筐体内に設けた回路基板上の操作スイッチのオンオフ作動を行なうピン部材が固設された一対のサイドキーの配列により構成され、一対のサイドキーは、当該一対のサイドキーの長さ寸法とほぼ同寸法に形成されたフィルムシート部材により連結固定され、フィルムシート部材と一対のサイドキーとの連結固定は、両面に貼り着け面を有する両面テープ部材により行なわれることを要件とする。
【発明の効果】
【００１１】
開示の携帯端末装置に設けたサイドキーは、可動側筐体内に設けた回路基板上の操作スイッチのオンオフ作動を行なうピン部材が固設された一対のサイドキーの配列により構成され、この一対のサイドキーは、当該一対のサイドキーの長さ寸法とほぼ同寸法に形成されたフィルムシート部材により連結固定されるとともに、フィルムシート部材と一対のサイドキーとの連結固定はサイドキーの下面に貼着された両面テープ部材により行なわれるので、携帯端末装置に対するサイドキーの取り付け作業性を向上できるうえ、携帯端末装置の小型化を図ることができ、これにより、小スペース（小領域）内にサイドキーを配置させることができる。
【発明を実施するための最良の形態】
【００１２】
以下に添付図面を参照して、この発明に係る携帯端末装置の好適な実施例１を詳細に説明する。本実施例１は、携帯端末装置として携帯電話機への適用例を示す。なお、この実施例１によりこの発明が限定されるものではない。 
【実施例１】
【００１３】
ここで、図１は、本発明における実施例１に係る携帯電話機１０の開放状態を示す外観斜視図である。同図に示すように、携帯電話機１０は、掌サイズの固定側筐体１００および可動側筐体２００とを備えている。そして、これら固定側筐体１００および可動側筐体２００とを連結部２５０により組み付けている。
【００１４】
すなわち、同図に示すように、携帯電話機１０は、送話用に用いられるとともに、数字（０〜９）のキーを有するテンキー１１１および機能キー（モード設定キー）１１２などの各種操作キーを備える固定側筐体１００と、この固定側筐体１００と、ほぼ同等サイズに形成されたＬＣＤモジュール（図示せず）を備える可動側筐体２００とを連結部２５０により折り畳み自在に連結している。これら固定側筐体１００及び可動側筐体２００は、箱形状に形成され、その材料には、例えば、軽量で高強度のマグネシウム合金などが使用されている。 
【００１５】
このうち、固定側筐体１００は、テンキー１１１などの各種操作キーを有する操作パネル１１５が配置された固定フロントケース１１０と、背面側（図１の下側）に位置する固定リアケース１２０との２分割構造を備えている。
【００１６】
同図に示すように、固定フロントケース１１０には、上述したテンキー１１１、機能キー１１２や利用者の音声を電気信号に変換するマイクロホンが内部に配設された送話口１１３が設けられている。そして、これら両ケース１１０、１２０は、それぞれ４箇所の位置で取り付けネジ（図示せず）によるネジ止め固定により組み付けられている。
【００１７】
このうち固定フロントケース１１０の側板ケース部１１６には、外付け用の折り畳み自在のアンテナ３０が取り付け固定されている。また、固定リアケース１２０の側板ケース部１２１には、ラジオなどの音量を調整する一対のボリュームキー（サイドキー）４０、４０とがそれぞれ配置されている。
【００１８】
同様に、可動側筐体２００は、可動フロントケース２１０と、背面側（図１の下側）に位置する可動リアケース２２０との２分割構造とを備えている。同図に示すように、このうち可動フロントケース２１０の表面のほぼ中央部には、ＬＣＤモジュール（図示せず）を視認するための大型の表示パネル２１１と表示部２１２とが設けられている。
【００１９】
また、可動フロントケース２１０の上端部には、携帯電話機１０の使用者の耳を当てて音声を聞き取るための受話口２１３が配設されている。これら、両ケース２１０、２２０もそれぞれ４箇所の位置で取り付けネジ(図示せず)により取り付け固定されるとともに、表示パネル２１１の上部位置には、ネジ用の目隠しカバー２１４が設けられている。
【００２０】
［サイドキーおよびフィルムシート部材の構成］
次に、図２〜図５を用いてサイドキーおよびフィルムシート部材の詳細について説明する。ここで、図２は、サイドキーとフィルムシート部材との合体前状態を示す斜視図を、図３は、サイドキーとフィルムシート部材との合体後状態を示す側面図を、図４は、サイドキーとフィルムシート部材との合体前状態を示す側面図を、図５−１は、サイドキーの全体構成である上視図を、図５−２は、サイドキーの全体構成である裏面図をそれぞれ示している。
【００２１】
ここで、前述したように、本実施例１の携帯電話機１０は、固定リアケース１２０の側板ケース部１２１に配設されたサイドキー４０およびフィルムシート部材５０の構成に特徴があるため、以下では、これらサイドキー４０およびフィルムシート部材５０の構成について説明する。
【００２２】
概略的に説明すると、本実施例１の携帯電話機１０では、固定リアケース１２０の側板ケース部１２１に設けた一対のサイドキー４０、４０は、当該一対のサイドキー４０、４０の長さ寸法とほぼ同寸法に形成されたフィルムシート部材５０により連結固定され、これらフィルムシート部材５０とサイドキー４０、４０との連結固定は、両端部に貼着面を有する両面テープ部材６０、６１により行なわれることに特徴がある。
【００２３】
すなわち、図２〜図５−２に示すように、サイドキー４０、４０は、略四角形状のサイドキー本体４１と、これらサイドキー本体４１の下側に位置する底板部材４３とを備えており、これら２個のサイドキー４０、４０はフィルムシート部材５０により一体型のキースイッチとなるように連結固定されている。こらら一対のサイドキー４０、４０のサイドキー本体４１の上面部４２には、ボリュームの調整方向を示す矢印アイコン（図５−１）が形成されている。
【００２４】
また、これらサイドキー本体４１の下側に位置する底板部材４３のほぼ中央部には、片側（図２の右側、図３、４の下側）に向けて突出するピン部材４４がそれぞれ固設されている。
【００２５】
このピン部材４４は、固定リアケース１２０の内部に設けた回路基板（図示せず）上の操作スイッチのオンオフ作動（レベル調整）を行なう。具体的には、ボリュームの音量の大小をピン部材４４のＯＮ操作状態に応じて調整する。
【００２６】
一方、図４に示すように、フィルムシート部材５０は、長尺状で厚さが薄肉（厚さ寸法ｔ１＝０．１ｍｍ程度）に成型された透明のフィルムシート本体５１を備えるとともに、このフィルムシート本体５１は、全体の形状（長さ寸法）が、一対のサイドキー４０、４０の形状および長さとほぼ一致するように成形されている。
【００２７】
このフィルムシート部材５０には、長尺で透明形状のＰＥＴフィルムシートが使用されている。このＰＥＴフィルムシートは、液晶ディスプレイやプラズマディスプレイなどの偏光板の表面用の保護フィルムとして使用されている伸縮性があり加工しやすいポリエチレンテレフタレート樹脂材である。
【００２８】
ここで、このフィルムシート部材５０は、従来使用していたラバーシート部材と同様に柔らかい素材であるため、厚みや大きさにおいて選択肢の幅を大きくすることができる。そして、これにより、サイドキー４０、４０の外形寸法よりも内側部分に配設させることができる。
【００２９】
具体的には、図７−1、図７−２に示す従来の一対のサイドキー４０ａ、４０ａの外形寸法よりも小さく連結部を構成できるため、より狭いデザインでサイドキーが配置でき、また隣り合う一対のサイドキー４０ａ、４０ａ同士の間隔も狭くできることから、携帯電話機１０の小型化および薄型化を図ることができる。
【００３０】
そして、このフィルムシート部材５０を構成するフィルムシート本体５１の両端側には、サイドキー４０、４０の底板部材４３に固設された一対のピン部材４４をそれぞれ挿通させるための一対の円通孔５１ａ（図２）が形成されている。
【００３１】
ここで、サイドキー４０、４０に対するフィルムシート部材５０の取り付け固定は、フィルムシート部材５０を構成するフィルムシート本体５１の片面側（図３、４の上側）の両端部上側に設けられる両面に粘着面を有する両面テープ部材６０、６１により行なわれる。
【００３２】
すなわち、このフィルムシート部材５０のフィルムシート本体５１の両端側５２、５２には、粘着性を有する両面テープ部材６０、６１の他方側（図３、４の下側）が貼り着け固定されている。
【００３３】
ここで、両面テープ部材６０、６１の粘着面領域は、フィルムシート部材５０の両端部６３側（図４）となっている。具体的に説明すると、サイドキー４０、４０の一対のピン部材４４、４４をフィルムシート部材５０の円通孔５１ａ（図２）に挿入した状態で、両面テープ部材６０、６１により、サイドキー４０、４０に対してフィルムシート部材５０を取り付け固定することができる。
【００３４】
すなわち、両面テープ部材６０、６１が貼り着け固定されていない中央領域５３（図４）は、両面テープ部材６０、６１の粘着領域となっていないため、これら一対のサイドキー４０、４０は、フィルムシート部材５０に連結固定された状態で、図６−１および図６−２に示すように、中央領域５３付近を中心に上下に動かすことができる。
【００３５】
［サイドキー４０の操作形態］
図６−１および図６−２は、サイドキーの操作形態を示す側面図である。すなわち、図６−１および図６−２に示すように、両面テープ部材６０、６１の貼着固定領域は、サイドキー４０、４０の両端側５２、５２となっているため、これら一対のサイドキー４０、４０は、貼着固定領域から外れた中央領域５３が可動領域となり、これによって、サイドキー４０、４０の１つ１つを、それぞれ単独で所定の方向（図６−１および図６−２の上下方向）に動かすことができる。
【００３６】
具体的に説明すると、図６−１に示すように、一方側（図６−１の右側）のサイドキー４０は、このサイドキー４０を押すと、フィルムシート部材５０は、中央領域５３を中心に変形するため、容易にサイドキー４０を単独で所定の位置まで動かすことができる。
【００３７】
また、同様に、他方側（図６−２の左側）のサイドキー４０を動かす場合、このサイドキー４０を押すと、フィルムシート部材５０は、中央領域５３を中心に変形するため、容易にこのサイドキー４０を単独で所定の位置まで動かすことができる。
【００３８】
なお、本実施例１では、上述したように、フィルムシート部材５０には、ＰＥＴフィルムシートを使用しているが、このＰＥＴフィルムシートに限定することなく、伸縮性を備えるとともに加工しやすいフィルムシートであれば他のフィルムシートを使用してもよい。
【００３９】
以上説明したように、本実施例１の携帯電話機１０は、携帯電話機１０の側板ケース部１２１に設けた一対のサイドキー４０、４０は、当該一対のサイドキー４０、４０の長さ寸法とほぼ同寸法に形成されたフィルムシート部材５０により連結固定され、これらフィルムシート部材５０と一対のサイドキー４０、４０との連結固定は、サイドキー４０、４０の両側に位置する両面に貼り着け面を有する両面テープ部材６０、６１により行なうので、サイドキーの取り付け作業性を向上できるうえ、携帯電話機１０の小スペース（小領域）内にサイドキー４０、４０を配置させることができ、これによって、携帯電話機１０の薄型化および小型化を図ることができる。
【００４０】
（他の実施例）
さて、これまで本発明の実施例１について説明したが、本発明は上述した実施例以外にも、上記特許請求の範囲に記載した技術的思想の範囲内において、種々の異なる実施例にて実施することもできる。 
【００４１】
すなわち、本実施例１では、ヒンジ部による折り畳み方式の携帯電話機への適用例として説明したが、図示例のヒンジ構造に限らず各種ヒンジ構造に適用でき、さらには、ヒンジ構造による折り畳み方式に限らず、本発明は、例えばスライド方式や平面内回転方式の連結部構成によって固定側筐体に対して可動側筐体を重ね合わせ自在としたものであっても同様に適用することができる。 
【００４２】
また、本実施例１では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置に設けられたサイドキーを対象として適用することができる。 
【００４３】
また、本実施例１では、サイドキーの取り付け構造を、ボリュームキーとするキーに適用したものであるが、このサイドキーを、ボリュームキー以外にも、ワンセグ携帯電話機のラジオ放送やテレビ放送の番組を変更するチャンネルキーなどにも適用できる。
【００４４】
以上の実施例１を含む実施形態に関し、さらに以下の付記を開示する。
【００４５】
（付記１）表示パネルと液晶表示部とを有する可動側筐体と、少なくとも複数のテンキーが配列された操作パネルキーと所定の操作を行なう一対のサイドキーが配列された固定側筐体とを備える携帯端末装置であって、
前記一対のサイドキーは、当該一対のサイドキーの長さ寸法とほぼ同寸法に形成されたフィルムシート部材により一体型に連結固定されることを特徴とする携帯端末装置。
【００４６】
（付記２）表示パネルと液晶表示部とを有する可動側筐体と、少なくとも複数のテンキーが配列された操作パネルキーと所定の操作を行なう回路基板上の操作スイッチを作動させるピン部材を有する一対のサイドキーが配列された固定側筐体とを備える携帯端末装置であって、
前記一対のサイドキーは、当該一対のサイドキーの長さ寸法とほぼ同寸法に形成されたフィルムシート部材により一体型に連結固定されることを特徴とする携帯端末装置。
【００４７】
（付記３）前記一対のサイドキーと前記フィルムシート部材との連結固定は、両面に貼り着け面を有する両面テープ部材により行なわれることを特徴とする付記１または２に記載の携帯端末装置。
【００４８】
（付記４）前記フィルムシート部材の両端部には、両面に貼り着け面を有する両面テープ部材が設けられ、当該フィルムシート部材と前記一対のサイドキーとの連結固定は、前記両面テープ部材による前記フィルムシート部材の両端部と前記一対のサイドキーの両端部同士の貼り着け固定により行なわれることを特徴とする付記３に記載の携帯端末装置。
【００４９】
（付記５）前記フィルムシート部材の所定位置には、前記一対のサイドキーに固設された前記ピン部材が挿通する通孔が形成されることを特徴とする付記２、３または４に記載の携帯端末装置。
【００５０】
（付記６）前記フィルムシート部材の材料は、ポリエチレンテレフタレート樹脂材であることを特徴とする付記１〜５の何れか一つに記載の携帯端末装置。
【図面の簡単な説明】
【００５１】
【図１】実施例１に係る携帯電話機の開放状態を示す外観斜視図である。
【図２】サイドキーとフィルムシート部材との合体前状態を示す斜視図である。
【図３】サイドキーとフィルムシート部材との合体後状態を示す側面図である。
【図４】サイドキーとフィルムシート部材との合体前状態を示す側面図である。
【図５−１】サイドキーの全体構成を示す上視図である。
【図５−２】サイドキーの全体構成を示す裏面図である。
【図６−１】サイドキーの操作形態を示す側面図である。（１）
【図６−２】サイドキーの操作形態を示す側面図である。（２）
【図７−１】従来のサイドキーとラバーシート部材との合体前状態を示す側面図である。
【図７−２】従来のサイドキーとラバーシート部材との合体後状態を示す側面図である。
【符号の説明】
【００５２】
１０  携帯電話機
４０  サイドキー
４１  サイドキー本体
４２  上面部
４３  底板部材
４４  ピン部材
５０  フィルムシート部材
５１  フィルムシート本体
５３  両端部
５４  中央部領域
６０、６１  両面テープ部材
１００  固定側筐体
１１０  固定フロントケース
１１５  操作パネル
１１６、１２１  側板ケース部
１２０  固定リアケース
２００  可動側筐体
２１０  可動フロントケース
２１１  表示パネル
２２０  可動リアケース
２５０  連結部
【図１】
0005115310.tif 000002
【図２】
0005115310.tif 000003
【図３】
0005115310.tif 000004
【図４】
0005115310.tif 000005
【図５−１】
0005115310.tif 000006
【図５−２】
0005115310.tif 000007
【図６−１】
0005115310.tif 000008
【図６−２】
0005115310.tif 000009
【図７−１】
0005115310.tif 000010
【図７−２】
0005115310.tif 000011